(57)【要約】      （修正有）【課題】飲料の封止能力及び安全性を向上した低温浸漬飲料のためのキャップアセンブリを提供する。【解決手段】本体は、キャップコネクタ、主チューブ、カバー、駆動チューブ、及び室を有する。主チューブはキャップコネクタに同軸状に形成され、少なくとも１つの環状シールを有する。駆動チューブはキャップコネクタに取り付けられ、多数の外部パウルの歯及び多数の頂部パウルの歯を有する。穴開けアセンブリは、駆動キャップ、穴開けチューブ、及び頂部パウルの歯に対応する多数の上歯を含む。穴開けチューブは、駆動キャップに同軸状に形成されて駆動キャップから下方に伸長し、本体よりも長く、少なくとも１つの環状シールに対して押圧される。セーフティリングはキャップコネクタに接続される。コネクタストリップは穴開けアセンブリに接続され、外部パウルの歯に係合する多数の内部パウルの歯を有する。【選択図】図２
0003130839.tif 000002
【実用新案登録請求の範囲】
【請求項１】
低温浸漬飲料のためのキャップアセンブリであって、
そのキャップアセンブリは本体を備え、
その本体はキャップコネクタ有し、
そのキャップコネクタは側壁を備え、
その側壁は上縁と、下縁と、内表面と、内表面に形成された雌ねじを有し、
キャップコネクタは側壁の上端に形成されて側壁の上端から内方に突出する肩部を備え、
その肩部は外表面、及び内表面を有し、
本体は肩部の内表面に形成されて肩部の内表面から同軸状に下方に突出する主チューブを有し、
その主チューブは内表面と、外表面と、先端と、主チューブの内表面に形成された少なくとも１つの環状シールと、を有し、
本体は主チューブの先端に付着したカバーを有し、
本体は、肩部の外表面に形成されて肩部の外表面から同軸状に上方に突出する駆動チューブを有し、
その駆動チューブは内表面と、外表面と、頂縁と、肩部の頂面と駆動チューブの外表面の間に形成された多数の外部パウルの歯と、
駆動チューブの頂縁に形成された多数の頂部パウルの歯、を有し、
本体は主チューブ及び駆動チューブに定められた室を有し、
キャップアセンブリは本体に取り付けられた穴開けアセンブリを備え、
その穴開けアセンブリは駆動チューブに摺動可能に取り付けられた駆動キャップを備え、
その駆動キャップは円形の頂部を備え、
その頂部は底部表面、及び外縁を有し、
駆動キャップは駆動キャップの頂面の外縁に形成されて駆動キャップの頂面の外縁から下方に突出する側壁を備え、
その側壁は下縁、及び内表面を有し、
穴開けアセンブリは頂壁の底表面に同軸状に形成されて頂壁の底表面から下方に突出し、駆動チューブ及び主チューブに摺動可能に取り付けられた、本体よりも長い穴開けチューブを備え、
その穴開けチューブは主チューブ内の少なくとも１つの環状シールに対して押圧される外表面、及び主チューブの先端を通って選択的に伸長し、主チューブの先端からカバーを分離する先端、を有し、
穴開けアセンブリは穴開けチューブの外表面と駆動キャップの側壁の内表面との間に駆動キャップの頂部の底表面上に形成された、駆動チューブの多数の頂部パウルの歯に対応する多数の上歯を備え、
キャップアセンブリはキャップコネクタに接続された除去可能なセーフティリングを備え、
そのセーフティリングは上縁と、内表面と、セーフティリングの上縁に形成されてキャップコネクタの側壁の下縁に接続された、引き裂くことのできる多数のコネクタと、セーフティリングの内表面に形成されたロッキングリングを有し、
キャップアセンブリは穴開けアセンブリに取り外し可能に接続されたコネクタストリップを備え、
そのコネクタストリップは上縁と、内表面と、コネクタストリップの上縁に形成されて駆動キャップの側壁の下縁に接続された多数のコネクタと、コネクタストリップの内表面に形成されてコネクタストリップの内表面から内方に突出し、駆動チューブ上の外部パウルの歯に係合する多数の内部パウルの歯と、コネクタストリップに画定された割れ目と、割れ目の近くに取り付けられたプルタブを有する、
キャップアセンブリ。
【請求項２】
主チューブは、キャップコネクタの肩部の底表面と主チューブの外表面との間に形成される封止リップを更に有する、請求項１に記載のキャップアセンブリ。
【請求項３】
駆動チューブは、駆動チューブの外表面に形成された雄ねじを更に有し、駆動キャップの側壁は、側壁の内表面に形成されて駆動チューブの雄ねじに対応してねじ込まれる雌ねじを更に有する、請求項１に記載のキャップアセンブリ。
【考案の詳細な説明】
【技術分野】
【０００１】
本考案はキャップに関し、より具体的には、浸漬物質を保持でき、浸漬物質の封止能力及び飲料の安全性を向上できる、低温浸漬飲料のためのキャップアセンブリに関する。
【背景技術】
【０００２】
茶葉、乾燥野菜及び乾燥果物、中国の伝統薬、発酵させて濃縮したお酢といった浸漬物質は、低温醸造飲料を作るために何時間もかかって冷水で煎じられる。それは、浸漬物質をお湯に浸すといくつかの有害で不味い物質がお湯の中で溶解されるからであり、低温浸漬飲料の方がお湯に浸した飲料よりも美味しくて健康的だからである。
【０００３】
低温浸漬のお茶を例にとると、タンニン酸及びカフェインは苦味を引き出し、冷水で茶葉から抽出するのは困難であるので、低温浸水のお茶は結果として滑らかな味になり、カフェインによって引き起こされる動悸、胃潰瘍、不眠症、及び低カルシウム吸収率のような不利益を防止する。低音浸漬のお茶は、テオフィリンがあまり抽出されないので、血圧を下げ、尿酸を減少させる助けにもなる。加えて、冷水では茶葉からＥＣ、ＥＧＣ、及びＥＧＣｇのようなカテキンが効果的に抽出され、フリーラジカル及びコレステロールの減少、抗発癌物質、老化防止のための抗酸化物質、及び抗菌物質の産生、胃潰瘍の防止、循環系の保護、及び腸管における有益な細菌の増加といった健康への効果を有する。
【０００４】
図５及び図６は出願者が先に提案した従来のキャップアセンブリである。
低温浸漬のお茶のための従来のキャップアセンブリは、ボトル（６０Ａ）の口（６１Ａ）に取り付けられ、本体（１０Ａ）、穴開けアセンブリ（２０Ａ）、セーフティリング（３０Ａ）、及びコネクタストリップ（５０Ａ）を備える。
【０００５】
本体（１０Ａ）は口（６１Ａ）に取り付けられ、キャップコネクタ、主チューブ（１２Ａ）、カバー（１６Ａ）、駆動チューブ（１４Ａ）及び室（１３Ａ）を有する。キャップコネクタは口（６１Ａ）に形成された雄ねじにねじ込まれ、側壁と肩部を有する。側壁は上縁、下縁、内表面、及び雌ねじを有する。雌ねじはキャップコネクタの内表面に形成され、口（６１Ａ）の雄ねじにねじ込まれる。肩部は側壁の上縁に形成されて側壁の上縁から内方に突出し、外表面及び内表面を有する。主チューブ（１２Ａ）は肩部の内表面に形成されて肩部の内表面から同軸状に下方に突出し、先端を有する。カバー（１６Ａ）は主チューブ（１２Ａ）の先端に取り外し可能に取り付けられている。駆動チューブ（１４Ａ）は肩部の外表面に形成されて肩部の外表面から同軸状に上方に突出し、内表面、外表面、駆動ねじ山、及び環状リップ（１４４）を有する。駆動ねじは駆動チューブ（１４Ａ）の内表面に形成されている。環状リップ（１４４）は駆動チューブ（１４Ａ）の外表面に形成されて駆動チューブ（１４Ａ）の外表面から外方に突出している。室（１３Ａ）はカバー（１６Ａ）の上方の主チューブ（１２Ａ）及び駆動チューブ（１４Ａ）に定められ、浸漬物質（７０Ａ）を保持する。
【０００６】
穴開けアセンブリ（２０Ａ）は本体（１０Ａ）に取り付けられ、駆動キャップ（２４Ａ）及び穴開けチューブ（２２Ａ）を備える。駆動キャップ（２４Ａ）は頂部及び側壁を有する。頂部は円形であり、外縁及び底表面を有する。側壁は頂部の外縁に形成されて頂部の外縁から下方に突出し、下縁を有する。穴開けチューブ（２２Ａ）は頂部の底表面に同軸状に形成されて頂部の底表面から下方に突出し、駆動チューブ（１４Ａ）及び主チューブ（１２Ａ）に摺動可能に取り付けられる。穴開けチューブ（２２Ａ）は本体（１０Ａ）よりも長く、カバー（１６Ａ）を選択的に穴開けして主チューブ（１２Ａ）の先端から切り離し、浸漬物質（７０）をボトル（５０）の中へ解放する。穴開けチューブ（２２Ａ）は外表面及びねじ山を有する。ねじ山は穴開けチューブ（２２Ａ）の外表面に形成され、駆動チューブ（１４Ａ）上の駆動ねじにねじ込まれる。
【０００７】
セーフティリング（３０Ａ）はキャップコネクタに接続され、ボトル（６０Ａ）のフランジに係合する。セーフティリング（３０Ａ）はキャップアセンブリをボトル（６０Ａ）から取り除けるように除去可能であり、上縁、内表面、コネクタ、及び多数の弾性歯（３２Ａ）を有する。コネクタはセーフティリング（３０Ａ）の上縁に形成され、キャップコネクタの下縁に接続され、キャップアセンブリをボトル（６０Ａ）から除去できるように、破ける。弾性歯（３２Ａ）はセーフティリング（３０Ａ）の内表面に形成されてセーフティリング（３０Ａ）の内表面から内方及び上方に突出し、ボトル（６０Ａ）上のフランジに係合してキャップアセンブリをボトル（６０Ａ）に保持する。
【０００８】
コネクタストリップ（５０Ａ）は穴開けアセンブリ（２０Ａ）に取り外し可能に接続され、上縁、内表面、コネクタ、多数の歯（５１Ａ）、割れ目、及びプルタブを有する。コネクタはコネクタストリップ（５０Ａ）の上縁に形成され、駆動キャップ（２４Ａ）の下縁に接続され、コネクタストリップ（６０Ａ）を取り除いて駆動キャップ（２４Ａ）を除去できるように、破かれる。歯（５１Ａ）はコネクタストリップ（５０Ａ）の内表面に形成されてコネクタストリップ（５０Ａ）の内表面から内方に突出し、駆動チューブ（１４Ａ）上の環状リップ（１４４）とキャップコネクタ上の肩部の間の切り欠きに係合する。割れ目はコネクタストリップ（５０Ａ）に定められる。プルタブは割れ目の近くに取り付けられてコネクタストリップ（５０Ａ）をキャップコネクタから分離する。
【考案の開示】
【考案が解決しようとする課題】
【０００９】
従来のキャップアセンブリは浸漬物質（７０Ａ）を保持して低温浸漬を行うことができるが、飲料の安全性及び浸漬物質（７０Ａ）の封止能力は未だ向上及び強化される必要がある。
【課題を解決するための手段】
【００１０】
この欠点を克服するために、本考案は低温浸漬飲料のためのキャップアセンブリを提供して上述の問題を軽減又は取り除くものである。
【００１１】
本考案の第１の目的は、ボトルに取り付けられ、浸漬物質を保持し、飲料の封止能力及び安全性を向上した低温浸漬飲料のためのキャップアセンブリを提供することである。
【００１２】
低温浸漬飲料のための本考案に従うキャップアセンブリは、本体、穴開けアセンブリ、セーフティリング、及びコネクタストリップを備える。
【００１３】
本体は、キャップコネクタ、主チューブ、カバー、駆動チューブ、及び室を有する。キャップコネクタは側壁及び肩部を備える。側壁は上縁、下縁、内表面、及び内表面に形成された雌ねじを有する。肩部は側壁の上縁に形成されて側壁の上縁から内方に突出し、外表面及び内表面を有する。主チューブは肩部の内表面に形成されて肩部の内表面から同軸状に下方に突出し、内表面、外表面、先端、及び主チューブの内表面に形成された少なくとも１つの環状シールを有する。カバーは主チューブの先端に付着している。駆動チューブは肩部の外表面に形成されて肩部の外表面から同軸状に上方に突出し、内表面、外表面、頂縁、多数の外部パウルの歯、及び多数の頂部パウルの歯を有する。外部パウルの歯は肩部の頂面と駆動チューブの外表面の間に形成される。頂部パウルの歯は駆動チューブの頂縁に形成される。室は主チューブ及び駆動チューブに定められる。
【００１４】
穴開けアセンブリは本体に取り付けられ、駆動キャップ、穴開けチューブ、及び多数の上歯を備える。駆動キャップは駆動チューブに摺動可能に取り付けられ、頂部及び側壁を備える。頂部は円形であり、底表面及び外縁を有する。側壁は駆動キャップの頂部の外縁に形成されて駆動キャップの頂部の外縁から下方に突出し、下縁及び内表面を有する。穴開けチューブは頂壁の底表面に同軸状に形成されて頂壁の底表面から下方に突出し、駆動チューブ及び主チューブに摺動可能に取り付けられる。穴開けチューブは本体よりも長く、外表面及び先端を有する。外表面は主チューブ内の少なくとも１つの環状シールに対して押圧されている。先端は主チューブの先端を通って選択的に伸長し、カバーを主チューブの先端から分離する。上歯は、穴開けチューブの外表面と駆動キャップの側壁の内表面との間に駆動キャップの頂部の底表面に形成され、駆動チューブ上の頂部パウルの歯に対応する。
【００１５】
セーフティリングはキャップコネクタに接続され、除去可能であり、上縁、内表面、多数のコネクタ、及びロッキングリングを有する。コネクタは破くことができ、セーフティリングの上縁に形成され、キャップコネクタの側壁の下縁に接続されている。ロッキングリングはセーフティリングの内表面に形成されている。
【００１６】
コネクタストリップは穴開けアセンブリに取り外し可能に接続され、上縁、内表面、多数のコネクタ、多数の内部パウルの歯、割れ目、及びプルタブを有する。コネクタはコネクタストリップの上縁に形成され、駆動キャップの側壁の下縁に接続される。内部パウルの歯はコネクタストリップの内表面に形成されてコネクタストリップの内表面から内方に突出し、駆動チューブ上の外部パウルの歯に係合する。割れ目はコネクタストリップに定められる。プルタブは割れ目の近くに取り付けられてコネクタストリップをキャップコネクタから分離する。
【００１７】
本実用新案のその他の目的、利益、及び新規の特徴は、付属の図面と併せた時の以下の詳細な記述からより明らかになる。
【考案を実施するための最良の形態】
【００１８】
図１、図２、及び図３を参照して、低温浸漬飲料のための本考案に係るキャップアセンブリを示す。キャップアセンブリは、頂縁、雄ねじ、及びフランジ（６２）を有するボトル（６０）の口（６１）に取り付けられ、本体（１０）、穴開けアセンブリ（２０）、セーフティリング（３０）、及びコネクタストリップ（５０）を備える。
【００１９】
本体（１０）はボトルの口（６１）に取り付けられ、キャップコネクタ（１１）、主チューブ（１２）、カバー（１２）、駆動チューブ（１４）、及び室（１３）を有する。
【００２０】
キャップコネクタ（１１）は口（６１）の雄ねじにねじ込まれ、側壁及び肩部を備える。側壁は、上縁、下縁、内表面、及び雌ねじを有する。雌ねじは側壁の内表面に形成され、口（６１）の雄ねじにねじ込まれる。肩部は側壁の上縁に形成されて側壁の上縁から内方に突出し、外表面及び内表面を有する。
【００２１】
主チューブ（１２）は肩部の内表面に形成されて肩部の内表面から同軸状に下方に突出し、内表面、外表面、先端、少なくとも１つの環状シール（１２１）、及び封止リップ（１２２）を有する。少なくとも１つの環状シール（１２１）は主チューブ（１２）の内表面に形成される。封止リップ（１２２）は肩部の内表面と主チューブ（１２）の外表面の間に形成される。本体（１０）が口（６１）にねじ込まれると、封止リップ（１２２）が口（６１）の頂縁に対して押圧されて、空気又は湿気がボトル（６０）に進入するのを防ぎ、封止能力を向上させる。
【００２２】
カバー（１６）は、プラスチック製のフィルム、金属製のフィルム、又は空気を通さない紙のようなフィルムでよく、主チューブ（１２）の先端に付着されている。
【００２３】
駆動チューブ（１４）は肩部の外表面に形成されて肩部の外表面から同軸状に上方に突出し、内表面、外表面、頂縁、多数の外部パウルの歯（１４１）、雄ねじ（１４２）、及び多数の頂部パウルの歯（１４３）を有する。外部パウルの歯（１４１）は肩部の頂面と駆動チューブ（１４）の外表面の間に形成される。雄ねじ（１４２）は駆動チューブ（１４）の外表面に形成される。頂部パウルの歯（１４３）は駆動チューブ（１４）の頂縁に形成される。
【００２４】
室（１３）は主チューブ（１２）及び駆動チューブ（１４）に定められ、浸漬物質（７０）を保持する。
【００２５】
穴開けアセンブリ（２０）は本体（１０）に取り付けられ、駆動キャップ（２１）、穴開けチューブ（２２）、及び多数の上歯（２３）を備える。駆動キャップ（２１）は駆動チューブ（１４）に摺動可能に取り付けられ、頂部及び側壁を備える。頂部は円形であり、底表面及び外縁を有する。側壁は頂部の外縁に形成されて頂部の外縁から下方に突出し、下縁、内表面、及び任意の雌ねじ（２１１）を有する。雌ねじ（２１１）は側壁の内表面に形成され、駆動チューブ（１４２）の雄ねじ（１４２）に対応してねじ込まれる。
【００２６】
穴開けチューブ（２２）は頂部の底表面に同軸状に形成されて頂部の底表面から下方に突出し、駆動チューブ（１４）及び主チューブ（１２）に摺動可能に取り付けられる。穴開けチューブ（２２）は本体（１０）よりも長く、外表面及び先端を有する。穴開けチューブ（２２）の外表面は少なくとも１つの環状シール（１２１）に対して押圧されて、空気又は湿気が本体（１０）の室（１３）に進入することを防ぐ。更に図４を参照すると、穴開けチューブ（２２）の先端は斜めでよく、駆動キャップ（２１）が本体（１０）に完全にねじ込まれると、主チューブ（１２）の先端を通って選択的に伸長し、カバー（１６）を主チューブ（１２）の先端から分離して、室（１３）内の浸漬物質（７０）を解放する。
【００２７】
上歯（２３）は、穴開けチューブ（２２）の外表面と駆動キャップ（２１）の側壁の内表面の間で駆動キャップ（２１）の頂部の底表面に形成され、駆動チューブ（１４）上の頂部パウルの歯（１４３）に対応する。駆動キャップ（２１）が本体（１０）に完全にねじ込まれると、上歯（２３）は頂部パウルの歯（１４３）に係合して穴開けアセンブリ（２０）が本体（１０）から緩むのを防止し、キャップアセンブリの安全性を向上させる。
【００２８】
セーフティリング（３０）はキャップコネクタ（１１）に接続され、ボトル（６０）上のフランジ（６２）に係合する。セーフティリング（３０）はキャップアセンブリがボトル（６０）から取り除けるように除去可能であり、上縁、内表面、多数のコネクタ（３１）、及びロッキングリング（３２）を有する。コネクタ（３１）は破くことができ、セーフティリング（３１）の上縁に形成され、キャップコネクタ（１１）の側壁の下縁に接続される。ロッキングリング（３２）はセーフティリング（３０）の内表面に形成され、本体（１０）がボトルの口（６１）から緩むとボトル（６０）の口（６１）上のフランジ（６２）に当接し、セーフティリング（３０）が本体（１０）と共に動くのを防止する。その結果、コネクタ（３１）が破れ、セーフティリング（３０）がボトル（６０）の口（６１）の周りに残り、本体（１０）がボトル（６０）の口（６１）から緩んでいることが示される。
【００２９】
コネクタストリップ（５０）は穴開けアセンブリ（２０）に取り外し可能に接続され、上縁、内表面、多数のコネクタ（５２）、多数の内部パウルの歯（５１）、割れ目、及びプルタブ（５３）を有する。コネクタ（５２）はコネクタストリップ（５０）の上縁に形成され、駆動キャップ（２１）の側壁の下縁に接続される。コネクタ（５２）は破れてコネクタストリップ（５０）を取り除き、駆動キャップ（２４）を取り除けるようにする。内部パウルの歯（５１）はコネクタストリップ（５０）の内表面に形成されてコネクタストリップ（５０）の内表面から内方に突出し、駆動チューブ（１４）上の外部パウルの歯（１４１）に係合して穴開けアセンブリ（２０）が本体（１０）から緩むのを防ぐ。割れ目はコネクタストリップ（５０）に定められる。プルタブ（５３）は割れ目の近くに取り付けられてコネクタストリップ（５０）をキャップコネクタ（１１）から分離する。浸漬物質を解放するためには、プルタブ（５３）を引いてコネクタストリップ（５０）上のコネクタ（５２）を破り、コネクタストリップ（５０）を穴開けアセンブリ（２０）から取り除き、穴開けアセンブリが回転できるようにする。
【００３０】
本考案の多くの特徴及び利益は、本考案の構造及び機能の詳細と共に、上述の記述において説明されているが、本開示は例示に過ぎない。特に部品の形、大きさ、及び配置に関して、添付の実用新案登録請求の範囲を表現する用語の広い一般的な意味によって示される本考案の原則の最大限の範囲まで、詳細に変更がなされてよい。
【図面の簡単な説明】
【００３１】
【図１】低温浸漬飲料のための本考案に従うキャップアセンブリの斜視図である。
【図２】ボトル上の図１のキャップアセンブリの部分分解斜視図である。
【図３】図１におけるキャップアセンブリの側面断面図である。
【図４】ボトルに解放される浸漬物質を有する図１のキャップアセンブリの動作断面図である。
【図５】先行技術に従う従来のキャップアセンブリの部分分解斜視図である。
【図６】図５の従来のキャップアセンブリの側面断面図である。
【図１】
0003130839.tif 000003
【図２】
0003130839.tif 000004
【図３】
0003130839.tif 000005
【図４】
0003130839.tif 000006
【図５】
0003130839.tif 000007
【図６】
0003130839.tif 000008